(57)【要約】【課題】  畔塗り機による畔塗り作業において、畔際、及び畔の下端部の土を切り崩して畔側に寄せることで、畔の法面部の下端部を深くして整形することである。【解決手段】  耕耘ユニットＵ1 と、畔塗りドラムユニットＵ2 と、土壌固化材供給ユニットＵ3 とを備えた畔塗り機Ａであって、前記耕耘ユニットＵ1 の耕耘軸１８は、畔Ｒの長手方向Ｐと直交する方向に沿った長さを有し、当該耕耘軸１８における機体１０に近い部分に、畔際の土を切り起こして畔側に移送させるスクリューコンベアＳが取付けられて、前記耕耘軸１８における当該スクリューコンベアＳに対して自由端側に複数本の耕耘爪Ｔａ，Ｔｂが取付けられた構成とする。【選択図】  図１
2018191527.tif 000002
【特許請求の範囲】
【請求項１】
機体に支持されて、畔の法面部及び畔際部を耕耘して膨軟にするための複数本の耕耘爪が、片持支持構造の耕耘軸に取付けられた耕耘ユニットと、前記機体における当該耕耘ユニットの後方に配置されたドラム軸に畔塗りドラムが一体に取付けられて、耕耘された膨軟な土壌を前記畔の法面部及び上面部に塗り付けるための畔塗りドラムユニットと、タンクに収容された土壌固化材をホースにより、前記耕耘ユニットの耕耘爪により膨軟にされた土壌に添加させるための土壌固化材供給ユニットとを備えた畔塗り機であって、
前記耕耘軸は、畔の長手方向と直交する方向に沿った長さを有し、当該耕耘軸における前記機体に近い部分に、前記畔際の土を切り起こして畔側に移送させるスクリューコンベアが取付けられて、前記耕耘軸における当該スクリューコンベアに対して自由端側に複数本の前記耕耘爪が取付けられていることを特徴とする畔塗り機。
【請求項２】
前記耕耘軸は、スクリューコンベアにより切り起こされた土が、前記機体の進行方向に対して斜後方に移送されるように、畔の長手方向に対して傾斜配置されていることを特徴とする請求項１に記載の畔塗り機。
【発明の詳細な説明】
【技術分野】
【０００１】
本発明は、畔塗りドラムの回転により、畔の法面部及び上面部の土を強く固めて整形するための畔塗り機に関するものである。
【背景技術】
【０００２】
畔塗り機としては、例えば特許文献１，２に示されるように、種々の出願がなされているが、複数の耕耘爪が取付けられた耕耘軸を回転させて、当該耕耘爪により、畔の法面部及び上面部の土を砕いて膨軟にする耕耘ユニットと、膨軟にされた土を整形して畔の法面部及び上面部を整形する畔塗ユニットとを備えているが、前記耕耘ユニットは、畔の法面部における田面の高さの部分までの土を砕いて膨軟にしているのみである。また、風雨により畔形状が崩されると、畔の法面部の下端部から田面側（畔と反対側）にかけて土が崩れ落ちた状態となり、この状態で、畔塗り機により、畔の整形を行っても、畔は、原形状までは復元されない。
【０００３】
このように、従来の畔塗り機では、崩された土が田面側になだれ込むために、畔を原形状にまで復元できず、また、畔の法面部の下端部がしっかり整形して固められていないため、土壌固化材を使用した場合でも、長期間の風雨により畔の法面部の下端部が最初に崩されて、整形された畔形状を維持できる期間が短くなって、雑草類が発生し易かった。
【先行技術文献】
【特許文献】
【０００４】
【特許文献１】特開２００５−２９６０２０号公報
【特許文献２】特開２００７−１５９５３０号公報
【発明の概要】
【発明が解決しようとする課題】
【０００５】
本発明は、畔塗り機による畔塗り作業において、畔際、及び畔の下端部の土を切り崩して畔側に寄せることで、畔の法面部の下端部を深くして整形できるようにすることを課題としている。
【課題を解決するための手段】
【０００６】
上記の課題を解決するための請求項１の発明は、機体に支持されて、畔の法面部及び畔際部を耕耘して膨軟にするための複数本の耕耘爪が、片持支持構造の耕耘軸に取付けられた耕耘ユニットと、前記機体における当該耕耘ユニットの後方に配置されたドラム軸に畔塗りドラムが一体に取付けられて、耕耘された膨軟な土壌を前記畔の法面部及び上面部に塗り付けるための畔塗りドラムユニットと、タンクに収容された土壌固化材をホースにより、前記耕耘ユニットの耕耘爪により膨軟にされた土壌に添加させるための土壌固化材供給ユニットとを備えた畔塗り機であって、
前記耕耘軸は、畔の長手方向と直交する方向に沿った長さを有し、当該耕耘軸における前記機体に近い部分に、前記畔際の土を切り起こして畔側に移送させるスクリューコンベアが取付けられて、前記耕耘軸における当該スクリューコンベアに対して自由端側に複数本の前記耕耘爪が取付けられていることを特徴としている。
【０００７】
請求項１の発明によれば、耕耘ユニットの耕耘軸の基端部に取付けられたスクリューコンベアの螺旋回転作用により、土壌固化材供給ユニットから土壌固化材が添加された状態で、畔際に崩れ落ちた土は、切り起こされて畔側に移送されると共に、元畔の法面部及び上面部は、耕耘刃により切り起こされて、その位置において膨軟にされる。その後に、畔塗りドラムの回転により、畔の法面部及び上面部が整形されることで、新畔が作られる。
【０００８】
ここで、畔際の土は、スクリューコンベアにより切り起こされて、畔側に移送されることで、畔の法面部の下端部は、田面よりも低い部分まで切り起こされているため、畔塗りドラムによる整形時には、新畔の法面部の下端部は、田面よりも低くなっていて、当該法面部の下端部までしっかりと整形された新畔が作られる。このため、新畔の法面部の下端部は、田面よりも低い位置までしっかりと整形されるため、新畔は、風雨に対して長期間に亘って、その畔形状が保持されると共に、畔形状の保持力が高まることで、雑草の発生を長期間に亘って抑制できる。
【０００９】
請求項２の発明は、請求項１の発明において、前記耕耘軸は、スクリューコンベアにより切り起こされた土が、前記機体の進行方向に対して斜後方に移送されるように、畔の長手方向に対して傾斜配置されていることを特徴としている。
【００１０】
請求項２の発明によれば、スクリューコンベアにより切り起こされた畔際の土は、機体の進行方向に対して斜後方に移送された後に、移送された土の一部は、耕耘刃により耕耘されるため、畔塗りドラムによる畔整形が一層に確実となる。
【発明の効果】
【００１１】
本発明によれば、畔際の土は、スクリューコンベアにより切り起こされて、畔側に移送されることで、畔の法面部の下端部は、田面よりも低い部分まで切り起こされているため、畔塗りドラムによる整形時には、新畔の法面部の下端部は、田面よりも低くなっていて、当該法面部の下端部までしっかりと整形された新畔が作られる。このため、新畔の法面部の下端部は、田面よりも低い位置までしっかりと整形されるため、新畔は、風雨に対して長期間に亘って、その畔形状が保持されると共に、畔形状の保持力が高まることで、雑草の発生を長期間に亘って抑制できる。
【図面の簡単な説明】
【００１２】
【図１】本発明に係る畔塗り機の平面図である。
【図２】同じく背面図である。
【図３】耕耘爪Ｔａ，Ｔｂ及びスクリューコンベアＳが取付けられた耕耘軸１８の斜視図である。
【図４】（ａ）〜（ｃ）は、本発明に係る畔塗り機による畔整形の順序を示す断面図である。
【発明を実施するための形態】
【００１３】
以下、最良の実施例を挙げて、本発明について更に詳細に説明する。図１〜図３において、牽引車であるトラクタＫの後部には、当該トラクタＫの３点リンクヒッチを介して畔塗り機Ａの機体１０が連結されている。３点リンクヒッチは、左右一対のロワーリンク１と、当該一対のロワーリンク１の中間の直上に配置された１本のトップリンク（図示せず）とからなり、一対のロワーリンク１及び１本のトップリンクは，畔塗り機Ａの機体１０を構成する左右一対のヒッチアーム１１の先端に各ロワーピン１２を介して連結されている。このため、トラクタＫの３点リンクヒッチを構成する一対のロワーリンク１の先端部を油圧により上下動させることで、畔塗り機Ａの機体１０を昇降させて、作業位置と非作業位置にそれぞれ配置させる。なお、図１において、２は、トラクタＫの後輪を示す。
【００１４】
トラクタＫのＰＴＯ軸（図示せず）の動力は、ユニバーサルジョイント（図示せず）を介して、畔塗り機Ａの機体１０に設けられた入力軸１３に入力され、当該入力軸１３に入力された動力は、主機枠１４に設けられた傘歯車機構１５により、当該主機枠１４の内部に配置された伝動軸に、９０°だけ方向を変換されて伝達される。主機枠１４には、耕耘軸支持機枠１６及び畔塗りドラム支持機枠１７がそれぞれ一体に取付けられている。耕耘軸支持、及びドラム支持の各機枠１６，１７は、動力伝動ケースを兼用していて、各機枠１６，１７には、耕耘軸１８及び畔塗り軸１９が、それぞれ畔Ｒの長手方向Ｐに対して直交する水平方向に沿って片持ち支持構造で回転可能に支持されている。入力軸１３に入力された動力は、前記傘歯車機構１５、並びに各機枠１６，１７の内部に設けられた鎖歯車機構（図示せず）により、耕耘軸１８及び畔塗り軸１９に伝達される。
【００１５】
耕耘ユニットＵ1 は、前記耕耘軸１８の基端部に、畔際の土を切り起こして元畔Ｒ’の側に移送させるスクリューコンベアＳが部分的に取付けられていると共に、当該スクリューコンベアＳの取付け端から、当該耕耘軸１８の自由端側に向けて、元畔Ｒ’の法面部５１’及び上面部５２’を切り起こして膨軟にする耕耘爪Ｔａ，Ｔｂが取付けられた構成である。
【００１６】
畔塗りユニットＵ2 は、前記畔塗り軸１９に、畔塗りドラムＤが取付けられた構成である畔塗りドラムユニットＵ2 は、截頭円錐体部Ｄａの截頭部に円筒体部Ｄｂが連続して設けられた形状であって、截頭円錐体部Ｄａ及び円筒体部Ｄｂは、それぞれ元畔Ｒ’の法面部５１’及び上面部５２’を整形する部分である。
【００１７】
土壌固化材供給ユニットＵ3 は、畔塗り機Ａの機体１０に、ホッパー状の土壌固化材タンク２１が搭載され、当該タンク２１の下端部には、繰出し軸２２が設けられ、当該繰出し軸２２には、主機枠１４に内装された伝動軸２３の回転がベルト伝動機構２４を介して前記繰出し軸２２に伝達されることで、当該タンク２１の下端部に内装された繰出し器（図示せず）が回転されて、定量の固化材が連続的に排出される構成である。当該タンク２１から定量排出された固化材は、ホース２５を介して耕耘直前の元畔Ｒ’の法面部５１’及び上面部５２’に供給される。なお、土壌固化材タンク２１には、固化材のみならず、除草剤を混合させることで、固化材と除草剤とを同時に、元畔Ｒ’の上記部分に供給できる。
【００１８】
畔塗り前の元畔Ｒ’は、図４（ａ）に示されるように、風雨により法面部５１’の土が畔際に崩れ落ちて、当該法面部５１’と上面部５２’は、なだらかに接続されている。図４（ａ）において、５３は、畔際に崩れ落ちた土を示し、５４は、田面を示す。
【００１９】
トラクタＫに牽引されて、畔塗り機Ａが畔際を走行すると、土壌固化材タンク２１からホース２５により、耕耘直前の元畔Ｒ’の法面部５１’及び上面部５２’に土壌固化材６１が供給され、その直後に、耕耘軸１８に取付けられたスクリューコンベアＳにより、畔際に土が切り起こされることで、切り起こされた畔際の土、及び法面部５１’から崩れ落ちた土５３が、土壌固化材６１と混合された状態で、法面部５１’の下端部に移送されると共に、耕耘軸１８に取付けられた耕耘爪Ｔａ，Ｔｂにより、元畔Ｒ’の法面部５１’及び上面部５２’が耕耘されることで、当該部分の土は土壌固化材６１と混合された状態で膨軟になる。図４（ｂ）において、スクリューコンベアＳ及び耕耘爪Ｔａ，Ｔｂにより耕耘されて膨軟にされた土と、未耕耘の土とが、異なるハッチングで示されている。また、畔際の土がスクリューコンベアＳにより切り起こされることで、法面部５１’の下端部に畔Ｒに沿って連続した凹部５５が形成される。
【００２０】
そして、図４（ｃ）に示されるように、元畔Ｒ’の法面部５１’及び上面部５２’の土が膨軟にされた直後に、畔塗りドラムＤが駆動回転することで、当該ドラムＤの截頭円錐体部Ｄａ及び円筒体部Ｄｂにより、元畔Ｒ’の法面部５１’及び上面部５２’が押圧・整形されて、法面部５１及び上面部５２を有する新畔Ｒが整形される。
【００２１】
また、耕耘された土には、土を固化する固化材が混入されているため、当該固化材と土中の水分とが接触して化学反応を起こすことで、個々の小粒の土が団粒化されて、土が固化される。一方、新畔Ｒの法面部５１の下端部は、田面５４よりも低い位置に配置されていて、田面５４よりも低い位置に配置された当該法面部５１の下端部まで、当該ドラムＤの截頭円錐体部Ｄａにより押圧・整形される。このように、固化材による土の団粒化作用と、田面５４よりも低い位置に配置された法面部５１の下端部まで押圧・整形される作用とが相乗されることで、畔Ｒの法面部５１は、長期間に亘って崩れ落ちなくなる。
【００２２】
株式会社アグロジャパンの製造販売に係る土壌固化材である「ハーデン（登録商標）」を使用して、耕耘軸にスクリューコンベアＳを備えた本発明に係る畔塗り機Ａを用いて、畔塗り作業を行った結果、当該スクリューコンベアＳによる畔際の土が切り起こされて元畔Ｒ’の側に移送されて、田面５４よりも低い位置に配置された新畔Ｒの法面部５１の下端部までもが、上記ハーデンにより、しっかりと固化されることで、従来の畔塗り機を用いて畔塗りした畔に比較して、法面部５１の土が最初に崩れ落ちるまでの期間は、遥かに長かった。これにより、本発明の効果を確認できた。
【００２３】
また、上記実施例では、畔塗り機Ａの耕耘軸１８は、畔Ｒの長手方向に対して直交する水平方向に配置されているが、当該耕耘軸を、スクリューコンベアにより切り起こされた土が、前記機体の進行方向に対して斜後方に移送されるように、畔の長手方向に対して傾斜配置させると、スクリューコンベアにより切り起こされた畔際の土は、機体の進行方向に対して斜後方に移送された後に、移送された土の一部は、耕耘刃により耕耘されるため、畔塗りドラムによる畔整形が一層に確実となる利点がある。
【符号の説明】
【００２４】
Ａ：畔塗り機
Ｄ：畔塗りドラム
Ｄa ：截頭円錐体部
Ｄb ：円筒体部
Ｋ：トラクタ
Ｐ：畔の長手方向
Ｒ：畔（整形畔) 
Ｒ’：元畔
Ｓ：スクリューコンベア
Ｔa ：耕耘爪（法面部) 
Ｔb ：耕耘爪（上面部) 
Ｕ1 ：耕耘ユニット
Ｕ2 ：畔塗りドラムユニット
Ｕ3 ：土壌固化材供給ユニット
１０：畔塗り機の機体
１３：畔塗り機の入力軸
１８：耕耘軸
１９：畔塗り軸
２１：土壌固化材タンク
5 １：畔の法面部
5 ２：畔の上面部
５４：田面
５５：畔の法面部の下端部の凹部
６１：土壌固化材
【図１】
2018191527.tif 000003
【図２】
2018191527.tif 000004
【図３】
2018191527.tif 000005
【図４】
2018191527.tif 000006